(57)【要約】【課題】スマートフォンやタブレットなどのリチウムイオン電池保有機器を長時間固定電源に接続を維持した後で使用する時に、リチウムイオン電池の容量の低下と寿命を先のばしにするように、機器内のリチウムイオン電池の過充電や過放電をさけ、充電回数を減らすことができる充電制御装置。【解決手段】充電用給電部と、リチウムイオン電池保有装置の間に接続され、電流測定部と電圧測定部と、充電用給電部とリチウムイオン電池保有装置との間の電気的接続を断接する断接部と、制御部とを備え、制御部は、断接部で接続動作を開始した後定電流充電から定電圧充電への切り替わりを検知した場合、断接部に遮断動作を指示する操作と、充電停止時から、一定時間毎に電圧測定部により充電電圧を計測し、設定電圧以上であった場合は、充電停止を継続し、設定電圧以下を検出した際に、断接部に、接続動作を指示する操作を行うことを特徴とする充電制御装置。【選択図】図１
2019110627.tif 000002
【特許請求の範囲】
【請求項１】
リチウムイオン電池を一定の電流で所定電圧まで充電する定電流制御と、その後前記所定電圧を保持しつつ、前記電流を減少させながら前記リチウムイオン電池を充電する定電圧制御とを実施するリチウムイオン電池充電制御回路を有するリチウムイオン電池保有機器のリチウムイオン電池の充電制御装置であって、
充電用給電部と前記リチウムイオン電池保有装置の間に接続され、
リチウムイオン電池保有機器への電流を測定する電流測定部と
リチウムイオン電池保有機器の充電用端子間の電圧を測定する電圧測定部と、
前記充電用給電部と、前記リチウムイオン電池保有装置との間の電気的接続を断接する断接部と、
制御部と、を備え、
前記制御部は、前記断接部で接続動作（充電）を開始した後、電流測定部での電流計測により、定電流充電から定電圧充電への切り替わりを検知した場合、前記断接部に遮断動作（充電停止）を指示する操作と、
前記充電開始から一定時間経過するまでに、前記定電流充電から定電圧充電への切り替わりを検知しなかった場合、前記断接部に遮断動作（充電停止）を指示する操作と、
前記充電停止時から、一定時間毎に前記電圧測定部により充電電圧を計測し、設定電圧以上であった場合は、充電停止を継続し、設定電圧以下を検出した際に、前記断接部に、接続動作（充電）を指示する操作を行うことを特徴とする充電制御装置。
【請求項２】
リチウムイオン電池保有機器のリチウムイオン電池の充電開始からの充電時間が所定の制限時間に達したら、前記断接部に遮断動作（充電停止）を指示する操作を行うことを特徴とする請求項１記載の充電制御装置。
【請求項３】
請求項１または請求項２に記載の充電制御装置と充電用給電部からなる充電装置。
【発明の詳細な説明】
【技術分野】
【０００１】
本発明は、リチウムイオン電池を一定の電流で所定電圧まで充電する定電流制御と、その後前記所定電圧を保持しつつ、前記電流を減少させながら前記リチウムイオン２次電池を充電する定電圧制御とを実施するリチウムイオン電池充電制御回路を有するリチウムイオン電池保有装置のリチウムイオン電池の充電制御装置に関する。
【背景技術】
【０００２】
スマートフォンやタブレットなどのリチウムイオン電池保有機器はリチウム電池（２次電池）を搭載しており、毎回使用後、充電によって、再使用をしている。
【０００３】
図３のように、スマートフォンやタブレットなどのリチウムイオン電池保有機器３００の充電部はリチウムイオン電池３６０とリチウムイオン電池充電制御回路３７０を有しており、図４で示されるように、リチウムイオン電池充電制御回路３７０は定電流定電圧（ＣＣＣＶ：Constant Current Constant Voltage）方式の充電制御すなわち、リチウムイオン電池３６０を一定の電流で所定電圧まで充電する定電流（ＣＣ：Constant Current）充電と、その後前記所定電圧を保持しつつ、前記電流を減少させながらリチウムイオン電池３６０を充電する定電圧（ＣＶ：Constant Voltage）充電を行う（特許文献１参照）。
【０００４】
スマートフォンやタブレットなどのリチウムイオン電池保有機器を、長時間固定電源に接続を維持した上で使用する用途の時に、定電流定電圧方式による充電では、定電流制御（ＣＣ）の後定電圧制御（ＣＶ）により、じょじょに電流が下がり所定の電流値に達したら充電を止めるようになっていても、充電と充電停止が繰り返され、充電回数が増え、リチウムイオン電池の容量の低下と短い寿命を招いていた。
【先行技術文献】
【特許文献】
【０００５】
【特許文献１】特許第３１５２５１２号公報
【発明の概要】
【発明が解決しようとする課題】
【０００６】
本発明は、スマートフォンやタブレットなどのリチウムイオン電池保有機器を長時間固定電源に接続を維持した後で使用する時に、リチウムイオン電池の容量の低下と寿命を先のばしにするように、機器内のリチウムイオン電池の過充電や過放電をさけ、充電回数を減らすことができる充電制御装置を提供することを目的する。
【課題を解決するための手段】
【０００７】
本発明は上記課題を解決するためになされたもので、請求項１に係る発明は、リチウムイオン電池を一定の電流で所定電圧まで充電する定電流制御と、その後前記所定電圧を保持しつつ、前記電流を減少させながら前記リチウムイオン電池を充電する定電圧制御とを実施するリチウムイオン電池充電制御回路を有するリチウムイオン電池保有機器のリチウムイオン電池の充電制御装置であって、充電用給電部と前記リチウムイオン電池保有装置の間に接続され、リチウムイオン電池保有機器への電流を測定する電流測定部とリチウムイオン電池保有機器の充電用端子間の電圧を測定する電圧測定部と、前記充電用給電部と、前記リチウムイオン電池保有装置との間の電気的接続を断接する断接部と、制御部と、を備え、前記制御部は、前記断接部で接続動作（充電）開始した後、電流測定部での電流計測により、定電流充電から定電圧充電への切り替わりを検知して、前記断接部に遮断動作（充電停止）を指示する操作と、前記充電開始から一定時間経過するまでに、前記定電流充電から前記定電圧充電への切り替わりを検知しなかった場合、断接部に遮断動作（充電停止）を指示する操作と、前記充電停止時から、一定時間毎に前記電圧測定部により充電電圧を計測し、設定電圧以上であった場合は、充電停止を継続し、設定電圧以下を検出した際に、前記断接部に、接続動作（充電）を指示する操作を行うことを特徴とする充電制御装置である。
【０００８】
請求項２に係る発明は、リチウムイオン電池保有機器のリチウムイオン電池の充電開始からの充電時間が所定の制限時間に達したら、前記断接部に遮断動作（充電停止）を指示する操作を行うことを特徴とする請求項１記載の充電制御装置である。
【０００９】
請求項３に係る発明は、請求項１または請求項２記載の充電制御装置と充電用給電部からなる充電装置である。
【発明の効果】
【００１０】
本発明は、スマートフォンやタブレットなどのリチウムイオン電池保有機器を長時間固定電源に接続を維持した後で使用する時に、リチウムイオン電池の容量の低下と寿命を先のばしにするように、機器内のリチウムイオン電池の過充電や過放電をさけ、充電回数を減らすことが可能な充電制御装置を提供することができる。
【図面の簡単な説明】
【００１１】
【図１】本発明の実施形態における充電制御装置の概略構成を示すブロック図である。
【図２】本発明の実施形態における充電装置の概略構成を示すブロック図である。
【図３】従来のリチウムイオン電池保有機器に対する充電用給電部からの給電における装置構成を示すブロック図である。
【図４】図３に示すリチウムイオン電池保有機器のリチウムイオン電池の充電動作を説明する図である。
【発明を実施するための形態】
【００１２】
以下、本発明の実施形態のカード発行装置について添付図面を参照して説明する。
【００１３】
図１は本発明の実施形態における充電制御装置の概略構成を示すブロック図である。
【００１４】
充電制御装置１００は、リチウムイオン電池３６０を一定の電流で所定電圧まで充電する定電流制御と、その後前記所定電圧を保持しつつ、前記電流を減少させながらリチウムイオン電池３６０を充電する定電圧制御とを実施するリチウムイオン電池充電制御回路３７０を有するリチウムイオン電池保有機器３００と、充電用給電部４００の間に設置される。
【００１５】
充電制御装置１００はリチウムイオン電池３６０の充電制御装置であって、リチウムイオン電池保有機器３００への電流Ｉを測定する電流測定部２０と、リチウムイオン電池保有機器の充電用端子間の電圧を測定する電圧測定部１０と、充電用給電部４００とリチウムイオン電池保有装置３００との間の電気的接続を断接する断接部３０と、制御部４０と、を備える。
【００１６】
断接部３０は、スイッチング素子を使用したスイッチング回路でもよい。
【００１７】
制御部４０は、断接部３０で接続動作（充電）開始した後、電流測定部２０での電流計測により、定電流充電から定電圧充電への切り替わり（図４におけるタイミングＴ２に相当）を検知して、断接部３０に遮断動作（充電停止）を指示する操作を行う。
【００１８】
前記充電開始から一定時間経過するまでに、前記定電流充電から前記定電圧充電への切り替わりを検知しなかった場合、断接部３０に遮断動作（充電停止）を指示する操作を行う。
【００１９】
また、制御部４０は、充電停止時から、一定時間毎に電圧測定部１０により充電電圧Ｖを計測し、設定電圧以上であった場合は、充電停止を継続し、設定電圧以下であった場合は、断接部３０に、接続動作（充電）を指示する操作を行う。
【００２０】
また、また、制御部４０は、リチウムイオン電池保有機器３００のリチウムイオン電池３６０の充電開始からの充電時間が所定の制限時間に達したら、断接部３０に遮断動作（充電停止）を指示する操作を行うことをしてもよい。これは安全として、総充電時間が、所定の時間以上にならないようにするためである。
【００２１】
図２は本発明の実施形態における充電装置２００の概略構成を示すブロック図である。
【００２２】
充電制御装置１００は充電用給電部４００と一体化して充電装置２００となってもよい。
【００２３】
以上の装置と動作によって、リチウムイオン電池を一定の電流で所定電圧まで充電する定電流制御と、その後前記所定電圧を保持しつつ、前記電流を減少させながら前記リチウムイオン電池を充電する定電圧制御とを実施するリチウムイオン電池充電制御回路を有するリチウムイオン電池保有機器たとえばスマートフォンやタブレットなどを、長時間固定電源に接続を維持した上で使用する用途の時に、従来より、充電時の充電回数が減少し、過充電や過放電を回避でき、リチウムイオン電池の容量の低下と短命化を回避できた。
【符号の説明】
【００２４】
１０・・・電圧測定部
２０・・・電流測定部
３０・・・断接部
４０・・・制御部
１００・・・充電制御装置
２００・・・充電装置
３００・・・リチウムイオン電池保有機器
３６０・・・リチウムイオン電池
３７０・・・リチウムイオン電池充電制御回路
４００・・・充電用給電部
【図１】
2019110627.tif 000003
【図２】
2019110627.tif 000004
【図３】
2019110627.tif 000005
【図４】
2019110627.tif 000006